(57)【要約】【課題】軽量でありながら金属厚板製の天板と同様な重厚感を得られるようにした体裁の良いドロップイン式コンロ用天板を提供する。【解決手段】天面部４１と天面部４１の下面に突出する複数の突条４２とを有する、金属の押し出し成形材で形成される天板本体４を備える。突条４２，４２間の空間が露出する天板本体４の辺に、突条４２，４２間の空間を覆うカバー部材５を装着する。【選択図】図４
2006046862.tif 000002
【特許請求の範囲】
【請求項１】
コンロ本体をカウンタトップに開設したコンロ開口に落とし込むようにして配置するドロップイン式コンロ用の天板であって、
天面部と天面部の下面に突出する複数の突条とを有する、金属の押し出し成形材で形成される天板本体を備えることを特徴とするドロップイン式コンロ用天板。
【請求項２】
前記各突条は前後方向に延在し、前記天板本体の前辺部に、前記天面部の下側の突条間の空間を前方から覆うフロントカバー部材が装着されることを特徴とするドロップイン式コンロ用天板。
【請求項３】
前記突条のうち左右の最外側に位置する突条と前記フロントカバー部材との少なくとも一方にその内外両面間に貫通する通気孔を形成することを特徴とする請求項２記載のドロップイン式コンロ用天板。
【請求項４】
前記各突条は左右方向に延在し、前記天板本体の左右の各側辺部に、前記天面部の下側の突条間の空間を側方から覆うサイドカバー部材が装着されることを特徴とする請求項１記載のドロップイン式コンロ用天板。
【請求項５】
前記突条のうち前後の最外側に位置する突条と前記サイドカバー部材との少なくとも一方にその内外両面間に貫通する通気孔を形成することを特徴とする請求項４記載のドロップイン式コンロ用天板。
【発明の詳細な説明】
【技術分野】
【０００１】
本発明は、コンロ本体をカウンタトップに開設したコンロ開口に落とし込むようにして配置するドロップイン式コンロ用の天板に関する。
【背景技術】
【０００２】
従来、天板の主体部分（天板本体）をガラス板等の装飾性の高い板で構成するドロップイン式コンロ用の天板は知られている(例えば、特許文献１参照)。このような天板では、天板本体の周縁部を保護するため、天板本体を囲う額縁状の外枠を設けて、カウンタトップに天板を外枠において着座させている。
【０００３】
また、最近は、外枠を省略してコストダウンを図るため、１枚の金属製（アルミニウム等）の厚板で形成される天板も開発されている。このような金属厚板から成る天板は、高剛性で重厚感があるが、重量が重くなり取り扱いに不便をきたす。
【特許文献１】特開２００１−１９３９４６号公報(段落０００４、図１，図２)
【発明の開示】
【発明が解決しようとする課題】
【０００４】
本発明は、以上の点に鑑み、軽量でありながら金属厚板製の天板と同様な剛性と重厚感を得られるようにした体裁の良いドロップイン式コンロ用天板を提供することをその課題としている。
【課題を解決するための手段】
【０００５】
上記課題を解決するために、本発明は、コンロ本体をカウンタトップに開設したコンロ開口に落とし込むようにして配置するドロップイン式コンロ用の天板であって、天面部と天面部の下面に突出する複数の突条とを有する、金属の押し出し成形材で形成される天板本体を備えることを特徴とする。
【０００６】
上記の構成によれば、天面部が肉薄でも突条により剛性が確保され、熱による歪や撓みも殆ど発生せず、更に、突条の突出高さ分の肉厚があるように見え、軽量でありながら重厚感が得られ、体裁が良好になる。また、突条は金属の押し出し成形で容易に形成でき、天板本体を突条付きのものにしてもコストは左程高くならず、コスト的にも有利である。
【０００７】
但し、押し出し成形では突条の方向性が限定され、天板は、各突条が前後方向に延在するタイプか、各突条が左右方向に延在するタイプになる。そして、各突条が前後方向に延在するタイプでは、天板本体の前辺部に天面部の下側の突条間の空間が露出し、また、各突条が左右方向に延在するタイプでは、天板本体の左右の側辺部に天面部の下側の突条間の空間が露出することになり、このままでは体裁を損なう。そのため、各突条が前後方向に延在するタイプでは、天板本体の前辺部に、天面部の下側の突条間の空間を前方から覆うフロントカバー部材を装着し、また、各突条が左右方向に延在するタイプでは、天板本体の左右の各側辺部に、天面部の下側の突条間の空間を側方から覆うサイドカバー部材を装着し、天面部の下側の突条間の空間を目隠しすることが望ましい。
【０００８】
また、ドロップイン式コンロでは、コンロ本体内にその周囲から燃焼用及び冷却用の空気を取り入れることができず、天板を介してコンロ本体内に空気を供給することが必要になる。ここで、各突条が前後方向に延在するタイプの天板において、左右の最外側に位置する突条とフロントカバー部材との少なくとも一方にその内外両面間に貫通する通気孔を形成し、また、各突条が左右方向に延在するタイプの天板において、前後の最外側に位置する突条と前記サイドカバー部材との少なくとも一方にその内外両面間に貫通する通気孔を形成すれば、これら通気孔を介してコンロ本体内に燃焼用及び冷却用の空気を供給でき、有利である。
【発明を実施するための最良の形態】
【０００９】
図１は、システムキッチンのカウンタトップ１にドロップイン式コンロを組み込んだ状態を示している。このコンロは、図２、図３に示す如く、上面を開放面とする箱形のコンロ本体２を備えている。コンロ本体２の上縁には外曲げフランジ２ａが形成されており、コンロ本体２をカウンタトップ１に開設したコンロ開口１ａに落とし込んだ状態で、外曲げフランジ２ａをコンロ開口１ａの開口縁部に掛止して、コンロ本体２をカウンタトップ１に吊持させている。そして、天板３によりコンロ本体２を外曲げフランジ２ａに亘って上方から覆うようにしている。尚、外曲げフランジ２ａの周縁部にはパッキン２ｂが装着されており、外曲げフランジ２ａをパッキン２ｂを介してカウンタトップ１に着座させている。
【００１０】
天板３は、金属、例えば、アルミニウムの押し出し成形材で形成される平面視方形の天板本体４と、天板本体４の前辺部に装着される樹脂製のフロントカバー部材５とで構成されている。天板本体４は、図４に示す如く、平板状の天面部４１と、天面部４１の下面に突出する複数の突条４２とを有しており、各突条４２は、押し出し成形で、前後方向に延在するように天面部４１と一体に形成されている。これら突条４２のうち左右の各最外側に位置する突条４２は天面部４１の左右の各側辺から垂下している。そして、最外側の突条４２の下端に内側に屈曲する着座部４２ａを形成し、この着座部４２ａをコンロ本体２の左右各側の外曲げフランジ２ａの外側でカウンタトップ１に着座させている。また、天板本体４の天面部４１には、押し出し成形後の後加工で、コンロ本体２内に配置する図示省略した２個のバーナを臨ませる２個のバーナ用開口４ａが開設されている。更に、天面部４１の前側に位置させて、バーナ用の２個の操作子６を配置している。尚、図示省略するが、天面部４１上には、各バーナ用開口４ａを囲うようにして五徳が載置される。
【００１１】
天板本体４の前辺部には、天面部４１の下側の突条４２，４２間の空間が露出し、このままでは体裁を損なう。そこで、天板本体４の前辺部に、天面部４１の下側の突条４２，４２間の空間を前方から覆うフロントカバー部材５を装着し、フロントカバー部材５の下端部をコンロ本体２の前側の外曲げフランジ２ａの前方でカウンタトップ１に着座させている。ここで、適宜複数の突条４２には、前後方向に延在する断面Ｃ字状の雌型係合部４３が形成されており、フロントカバー部材５の背面にこれら雌型係合部４３に対応するピン状の雄型係合部５１を突設している。そして、雄型係合部５１をこれに接着剤を塗布した状態で雌型係合部４３に嵌合することにより、天板本体４の前辺部にフロントカバー部材５が取り付けられるようにしている。
【００１２】
尚、天板本体４の後辺部にも天面部４１の下側の突条４２，４２間の空間が露出するが、天板本体４の後辺部は通常見えないため、ここには天面部４１の下側の突条４２，４２間の空間を覆うカバー部材は装着していない。この場合、天板本体４の後辺部から突条４２，４２間の空間を介してコンロ本体２内に連通する通気路が確保されることになり、コンロ本体２内にバーナの燃焼用空気を天板本体４の後辺部から供給できるようになる。また、この空気は天面部４１及びコンロ本体２を冷却する冷却用空気にもなる。尚、天板本体４の後辺部にカバー部材を装着することも勿論可能である。
【００１３】
また、最外側の突条４２以外の中間の突条４２は、コンロ本体２の前後各側の外曲げフランジ２ａに干渉しないように、天面部４１に対する下方への突出高さが比較的小さくなっている。そして、フロントカバー部材５の下端部に、後方に張り出して中間の突条４２の下端を受ける受部５２を形成し、天板本体４の左右方向中間部が受部５２を介してカウンタトップ１に支持されるようにしている。
【００１４】
かくして、天板３は、天板本体４の左右の最外側の突条４２，４２とフロントカバー部材５とでカウンタトップ１に支持されることになる。そして、天面部４１が薄肉であっても、突条４２により天板本体４の剛性が確保されると共に、熱による歪や撓みも殆ど発生せず、更に、外観に現われる左右の各最外側の突条４２の突出高さ分の肉厚を天板主体４が持つように見え、軽量でありながら重厚感が得られ、天板３の体裁が良好になる。
【００１５】
また、本実施形態では、フロントカバー部材５の上端に、後方に張り出して天面部４１上に重なる上カバー部５３を一体に形成している。従って、天面部４１の前辺とこれに対向するフロントカバー部材５の背面との間に隙間を生じても、この隙間は上カバー部５３で覆われて外観に現われず、体裁が良好に保たれる。更に、天面部４１に上カバー部５３の後縁による段差が形成され、煮こぼれ汁が天面部４１からその前方に流れ出て、カウンタトップ１の前縁から垂れ落ちることをこの段差によって防止できる。
【００１６】
ところで、上記第１実施形態では、天板本体４の後辺部にカバー部材を装着しないで、コンロ本体２内に天板本体４の後辺部から燃焼用及び冷却用の空気を供給できるようにしているが、天面部４１を全面に亘って効率良く冷却するには天板本体４の全周からコンロ本体１内に空気を供給できるようにすることが望まれる。そこで、図５に示す第２実施形態では、左右の最外側の突条４２とフロントカバー部材５とにその内外両面間に貫通する通気孔４４，５４を形成している。これによれば、これら通気孔４４，５４を介して天板本体４の左右の側辺部と前辺部とからも燃焼用及び冷却用の空気がコンロ本体２内に供給されるようになり、有利である。尚、天板本体４の後辺部にカバー部材を装着する場合は、このカバー部材にも通気孔を形成する。
【００１７】
また、第２実施形態では、左右の最外側の突条４２の外面に、通気孔４４の上方に位置するオーバーハング部４５を形成して、煮こぼれ汁が通気孔４４に侵入することを防止できるようにし、更に、フロントカバー部材５の内面に、通気孔５４の内端に位置する土手部５５を形成して、煮こぼれ汁が通気孔５４から内方に侵入することを防止できるようにしている。
【００１８】
次に、図６乃至図９を参照して、天板３の第３実施形態について説明する。第３実施形態の天板３も、上記第１実施形態のものと同様に、天面部４１と天面部４１の下面に突出する複数の突条４２とを有する、アルミニウムの押し出し成形材で形成される天板本体４を備えているが、第３実施形態のものでは、各突条４２が左右方向に延在している。
【００１９】
これら突条４２のうち前後の各最外側に位置する突条４２は天面部４１の前後の各辺から垂下している。そして、図７に示す如く、前後の各最外側の突条４２の下端に内側に屈曲する着座部４２ａを形成し、この着座部４２ａをコンロ本体２の前後各側の外曲げフランジ２ａの外側でカウンタトップ１に着座させている。尚、最後側の突条４２を省略し、天板本体４の後辺部からコンロ本体２に燃焼用空気を供給する通気路を確保することも可能である。
【００２０】
また、第３実施形態では、天板本体４の左右の各側辺部に、天面部４１の下側の突条４２間の空間を側方から覆う樹脂製のサイドカバー部材７を装着している。そして、図８に示す如く、サイドカバー部材７の下端部をコンロ本体２の左右各側の外曲げフランジ２ａの外側でカウンタトップ１に着座させている。
【００２１】
ここで、前後最外側の突条４２，４２以外の中間の突条４２は、コンロ本体２の左右各側の外曲げフランジ２ａに干渉しないように、天面部４１に対する下方への突出高さが比較的小さくなっている。また、左右の各サイドカバー部材７の内側面には、図９に示す如く、前後最外側の突条４２，４２間で天面部４１の下側に入り込む膨出部７１が形成されており、膨出部７１に、中間の突条４２に対応する複数のスリット状の係合溝７２を形成している。そして、各係合溝７２に接着剤を塗布した状態で中間の突条４２の左右の各端部を各係合溝７２に嵌め込むことにより、天板本体４の左右の各側辺部にサイドカバー部材７が取り付けられるようにしている。
【００２２】
かくして、第３実施形態の天板３は、天板本体４の前後最外側の突条４２，４２と左右のサイドカバー部材７，７とでカウンタトップ１に支持されることになる。そして、天面部４１が薄肉であっても、突条４２により天板本体４の剛性が確保されると共に、外観に現われる最前側の突条４２の突出高さ分の肉厚を天板主体４が持つように見え、上記第１実施形態の天板３と同様に、軽量でありながら重厚感が得られ、天板３の体裁が良好になる。
【００２３】
尚、第３実施形態では、サイドカバー部材７の膨出部７１に形成した係合溝７２に突条４２を嵌め込むことでサイドカバー部材７を天板本体４の左右の側辺部に取り付けているが、第１実施形態と同様に、適宜複数の突条４２に雌型係合部を形成し、サイドカバー部材７の内側面に突設した雄型係合部を雌型係合部に嵌合させて、サイドカバー部材７を天板本体４の左右の側辺部に取り付けても良い。また、第１実施形態において、フロントカバー部材５の背面に第３実施形態と同様の膨出部を形成し、左右の最外側の突条４２以外の突条４２の前端部を膨出部に形成した係合溝に嵌め込んで、フロントカバー部材５を天板本体４の前辺部に取り付けるようにしても良い。
【００２４】
また、第３実施形態の変形例として、図１０に示す第４実施形態の如く、天板本体４の前後最外側の突条４２とサイドカバー部材７とに、その内外両面間に貫通する通気孔４４，７３を形成し、これら通気孔４４，７３を介してコンロ本体２内に燃焼用及び冷却用の空気を供給できるようにしても良い。
【図面の簡単な説明】
【００２５】
【図１】本発明の第１実施形態の天板を具備するドロップイン式コンロを示す斜視図。
【図２】図１のＩＩ−ＩＩ線で切断した中間部省略の拡大切断面図。
【図３】図１のＩＩＩ−ＩＩＩ線で切断した拡大切断面図。
【図４】第１実施形態の天板の要部の分解状態の斜視図。
【図５】（ａ）本発明の第２実施形態の天板の要部の分解状態の斜視図、（ｂ）図５（ａ）のＶｂ−Ｖｂ線で切断した切断面図、（ｃ）図５（ａ）のＶｃ−Ｖｃ線で切断した切断面図。
【図６】本発明の第３実施形態の天板を具備するドロップイン式コンロを示す斜視図。
【図７】図６のＶＩＩ−ＶＩＩ線で切断した中間部省略の拡大切断面図。
【図８】図６のＶＩＩＩ−ＶＩＩＩ線で切断した拡大切断面図。
【図９】第３実施形態の天板の要部の分解状態の斜視図。
【図１０】本発明の第４実施形態の天板の要部の分解状態の斜視図。
【符号の説明】
【００２６】
１…カウンタトップ、２コンロ本体、３…天板、４…天板本体、４１…天面部、４２…突条、４４…通気孔、５…フロントカバー部材、５４…通気孔、７…サイドカバー部材、７３…通気孔。
【図１】
2006046862.tif 000003
【図２】
2006046862.tif 000004
【図３】
2006046862.tif 000005
【図４】
2006046862.tif 000006
【図５】
2006046862.tif 000007
【図６】
2006046862.tif 000008
【図７】
2006046862.tif 000009
【図８】
2006046862.tif 000010
【図９】
2006046862.tif 000011
【図１０】
2006046862.tif 000012
【手続補正書】
【提出日】平成17年6月23日(2005.6.23)
【手続補正１】
【補正対象書類名】特許請求の範囲
【補正対象項目名】請求項２
【補正方法】変更
【補正の内容】
【請求項２】
前記各突条は前後方向に延在し、前記天板本体の前辺部に、前記天面部の下側の突条間の空間を前方から覆うフロントカバー部材が装着されることを特徴とする請求項１記載のドロップイン式コンロ用天板。